(57)【特許請求の範囲】
【請求項１】
ディスクロータ側に開口する複数のシリンダ孔を備えた一対の作用部を、前記ディスクロータの外周を跨ぐブリッジ部にて連結してキャリパボディを形成し、前記ディスクロータと前記作用部との間で、且つ、車両前進時におけるディスク回入側のトルク受部とディスク回出側のトルク受部との間に一対の摩擦パッドを配置し、各摩擦パッドのディスク周方向中央部に突設した吊下げ片を、前記キャリパボディにディスクロータを跨いでディスク軸方向に懸架されるハンガーピンによりディスク軸方向へ移動可能に吊持し、車両前進又は後退時に、ディスクロータとの摺接によって摩擦パッドに発生した制動トルクを、摩擦パッドの裏板の側面が前記トルク受部に当接することにより支承する車両用ディスクブレーキにおいて、
前記裏板のディスク回出側と回入側とに、ディスク半径方向外側及び前記吊下げ片側に突出する突出部を形成すると共に、
前記キャリパボディの前記ディスク回入側及びディスク回出側のトルク受部のディスク半径方向外側に、制動時に前記突出部のディスク半径方向外側面が当接する当接部を、前記ブリッジ部の天井開口部内側に向けて突設した
ことを特徴とする車両用ディスクブレーキ。
【請求項２】
前記キャリパボディのトルク受部からディスク半径方向内側面に亘るリテーナを、前記キャリパボディのディスク半径方向内側面に、取付ボルトにて取り付けたことを特徴とする請求項１記載の車両用ディスクブレーキ。
【請求項３】
前記リテーナは、前記取付ボルトの径方向及び軸方向に対して移動可能な状態で前記ディスク半径方向内側面に取り付けられることを特徴とする請求項２記載の車両用ディスクブレーキ。
【発明の詳細な説明】
【技術分野】
【０００１】
本発明は、車両用ディスクブレーキに関し、詳しくは、作用部に複数のシリンダ孔を備えると共に、ディスクロータを跨いでディスク軸方向に懸架されるハンガーピンで一対の摩擦パッドを吊持した車両用ディスクブレーキに関する。
【背景技術】
【０００２】
従来、作用部に複数のシリンダ孔を備えると共に、ディスクロータを跨いでディスク軸方向に懸架されるハンガーピンで一対の摩擦パッドを吊持した車両用ディスクブレーキでは、制動時に、摩擦パッドがディスクロータに引き摺られて、裏板のディスク回出側面がトルク受部に押圧され、回転モーメントによって、ディスク回入側が浮き上がろうとするため、ブリッジ部と摩擦パッドとの間にパッドスプリングを装着し、この浮き上がりの抑制を図ったものがある（例えば、特許文献１参照。）。
【先行技術文献】
【特許文献】
【０００３】
【特許文献１】特開２００９−２２２２２５号
【発明の概要】
【発明が解決しようとする課題】
【０００４】
近年、車両の性能アップにより、ディスクブレーキに用いられるピストンの数が増加し、制動時に掛かる負荷も増大して制動熱が上昇する傾向にある。このため、制動熱よって摩擦パッドが大きく膨張し、常温時と高温時の摩擦パッドの幅寸法の差が大きくなることから、摩擦パッドとキャリパボディに設けるトルク受部とのクリアランスを広く設定するようにしている。このため、制動時に、摩擦パッドのディスク回入側が浮き上がり易くなり、摩擦パッドが適切な状態でトルク受部に当接し難くなることがあった。また、摩擦パッドのディスク回入側が浮き上がった状態で熱膨張すると、摩擦パッドの摺動に支障を来す虞があった。
【０００５】
上述の特許文献１のものでは、パッドスプリングは、摩擦パッドが高温となった際にもスプリング力を確保しなければならないことから、耐熱性の向上を図らなければならず、また、形状も複雑であることから、コストが嵩んでいた。
【０００６】
そこで本発明は、簡単な構造で、制動熱によって摩擦パッドが大きく膨張しても、制動時に摩擦パッドのディスク回入側が浮き上がることを防止できると共に、摩擦パッドの摺動性を確保することができる車両用ディスクブレーキを提供することを目的としている。
【課題を解決するための手段】
【０００７】
上記目的を達成するため、本発明の車両用ディスクブレーキは、ディスクロータ側に開口する複数のシリンダ孔を備えた一対の作用部を、前記ディスクロータの外周を跨ぐブリッジ部にて連結してキャリパボディを形成し、前記ディスクロータと前記作用部との間で、且つ、車両前進時におけるディスク回入側のトルク受部とディスク回出側のトルク受部との間に一対の摩擦パッドを配置し、各摩擦パッドのディスク周方向中央部に突設した吊下げ片を、前記キャリパボディにディスクロータを跨いでディスク軸方向に懸架されるハンガーピンによりディスク軸方向へ移動可能に吊持し、車両前進又は後退時に、ディスクロータとの摺接によって摩擦パッドに発生した制動トルクを、摩擦パッドの裏板の側面が前記トルク受部に当接することにより支承する車両用ディスクブレーキにおいて、前記裏板のディスク回出側と回入側とに、ディスク半径方向外側及び前記吊下げ片側に突出する突出部を形成すると共に、前記キャリパボディの前記ディスク回入側及びディスク回出側のトルク受部のディスク半径方向外側に、制動時に前記突出部のディスク半径方向外側面が当接する当接部を、前記ブリッジ部の天井開口部内側に向けて突設した
ことを特徴としている。
【０００８】
また、前記キャリパボディのトルク受部からディスク半径方向内側面に亘るリテーナを、前記キャリパボディのディスク半径方向内側面に、取付ボルトにて取り付けると良く、前記リテーナは、前記取付ボルトの径方向及び軸方向に対して移動可能な状態で前記ディスク半径方向内側面に取り付けられると好適である。
【発明の効果】
【０００９】
本発明の車両用ディスクブレーキによれば、簡単な構造で、パッドスプリングを用いることなく、また、常温時と高温時における摩擦パッドの幅寸法に拘わらず、制動時に摩擦パッドのディスク回入側が浮き上がることを防止することができる。さらに、当接部をブリッジ部に形成することにより、当接部を簡単に形成することができると共に、摩擦パッドの浮き上がりを確実に防止することができ、コストの低減化を図ることができる。
【００１０】
また、キャリパボディのトルク受部からディスク半径方向内側面に亘ってリテーナを敷設することにより、摩擦パッドの摺動性を向上させながらトルク受部の摩耗を防止することができ、さらに、リテーナは、キャリパボディのディスク半径方向内側面に、取付ボルトにて取り付けられることから、リテーナをキャリパボディのディスク半径方向内側から簡単に装着させることができる。
【００１１】
さらに、リテーナは、取付ボルトの径方向及び軸方向に対して移動可能な状態で、キャリパボディのディスク半径方向内側面に取り付けられることから、摩擦パッドが制動時に、ディスクロータに引き摺られて、裏板のディスク回出側面がトルク受部に押圧される際に、裏板から掛かる負荷に応じてリテーナが僅かに移動しながら、負荷を分散させることができ、安定した制動力を得ることができる。さらに、リテーナの、取付ボルトを挿通させる挿通孔の周囲に応力が集中することを抑制し、挿通孔の周囲が損傷することを防止できる。
【図面の簡単な説明】
【００１２】
【図１】図３のI-I断面図である。
【図２】本発明の一形態例を示す車両用ディスクブレーキの要部拡大断面図である。
【図３】同じく車両用ディスクブレーキの底面図である。
【図４】同じく車両用ディスクブレーキの断面平面図である。
【図５】リテーナの一形態例を示す斜視図である。
【発明を実施するための形態】
【００１３】
図１乃至図５は本発明の車両用ディスクブレーキの一形態例を示す図で、図中の矢印Ａは、車両前進走行時のディスクロータの回転方向を示し、以下の説明で用いるディスク回入側と回出側とは、車両前進走行時の場合とする。
【００１４】
この車両用ディスクブレーキ１は、車輪と一体に回転するディスクロータ２と、該ディスクロータ２の一側部で車体に取り付けられるキャリパボディ３と、ディスクロータ２の両側部に配設されるキャリパボディ３の作用部３ａ，３ａ間に、ディスクロータ２を挟んで対向配置される摩擦パッド４，４とを備えている。
【００１５】
キャリパボディ３は、ディスクロータ２の両側部に配設される作用部３ａ，３ａをブリッジ部３ｂで連結して形成される。双方の作用部３ａ，３ａには、３つのシリンダ孔５がそれぞれ対向して設けられ、各シリンダ孔５には、ピストン６がピストンシール７を介してそれぞれ内挿されている。ブリッジ部３ｂの中央には、ディスクロータ半径方向内外に貫通する略矩形の天井開口部３ｃが形成され、キャリパボディ３のディスク回入側とディスク回出側とには、ディスクロータ２を挟んで、トルク受部３ｄ，３ｄが連設されている。トルク受部３ｄ，３ｄには、リテーナ８，８が敷設され、車両前進又は後退時に、ディスクロータ２との摺接によって摩擦パッド４に発生した制動トルクを、リテーナ８，８を介してトルク受部３ｄ，３ｄで支承するようになっている。
【００１６】
各摩擦パッド４は、ディスクロータ２の側面に摺接するライニング４ａを、金属製の裏板４ｂに貼着して形成される。裏板４ｂは、ディスク外周側の中央部に、天井開口部３ｃ方向へ突出する吊下げ片４ｃが設けられると共に、ディスク回出側と回入側とに、ディスク半径方向外側、及び、吊下げ片側に突出する突出部４ｄ，４ｄが設けられる。各吊下げ片４ｃには、ハンガーピン挿通孔４ｅがそれぞれ形成されており、各摩擦パッド４は、前記天井開口部３ｃを貫通して両作用部３ａ，３ａに架け渡される１本のハンガーピン９を前記ハンガーピン挿通孔４ｅに挿通することにより、トルク受部３ｄ，３ｄ間に、ディスク軸方向へ移動可能に吊持されている。また、トルク受部３ｄ，３ｄのディスク半径方向外側には、天井開口部内側に向けて突出し、摩擦パッド４の突出部４ｄのディスク半径方向外側面４ｆにそれぞれ対向する当接部３ｅ，３ｅが設けられている。
【００１７】
リテーナ８は、ディスクロータ両側のトルク受部３ｄ，３ｄに敷設される一対のリテーナ部８ａ，８ａと、ディスクロータ２の外周を跨いで前記一対のリテーナ部８ａ，８ａを繋ぐ連結片８ｂと、リテーナ部８ａ，８ａのディスク半径方向内側をキャリパボディ３のディスク半径方向内側面３ｆ方向にそれぞれ折曲して形成した取付片８ｃ，８ｃとを備えている。各取付片８ｃには、取付ボルト１０の挿通孔８ｄがそれぞれ穿設され、挿通孔８ｄの径は、取付ボルト１０の外径よりも大径に形成され、取付ボルト１０と挿通孔８ｄとの間には所定のクリアランスＣ１が設けられる。また、リテーナ８は、キャリパボディ３のディスク半径方向内側面３ｆに取付ボルト１０で取り付けられる際に、取付ボルト１０の軸方向にも所定のクリアランスＣ２を有した状態で取り付けられ、リテーナ部８ａ，８ａは、トルク受部３ｄ，３ｄに対して、取付ボルト１０の軸方向及び径方向に僅かに移動可能に取り付けられる。
【００１８】
上述の車両用ディスクブレーキ１は、６ポット対向型であり、ポットの数の少ないものに比べて制動時に掛かる負荷が大きい。このため、制動熱により摩擦パッド４，４が大きく膨張し、常温時と高温時の摩擦パッドの幅寸法の差が大きくなることから、摩擦パッド４，４とトルク受部３ｄ，３ｄとのクリアランスを大きく設定している。制動時には、摩擦パッドがディスクロータに引き摺られて、裏板４ｂのディスク回出側面がトルク受部３ｄに押圧され、回転モーメントによって、ディスク回入側が浮き上がろうとし、特に、摩擦パッド４，４とトルク受部３ｄ，３ｄとのクリアランスを大きくしていることから、回転モーメントによる影響を受けやすくなっているが、裏板４ｂに設けられたディスク回入側の突出部４ｄのディスク半径方向外側面４ｆが、天井開口部３ｃのディスク回入側面に設けられた当接部３ｅに当接することにより、摩擦パッド４のディスク回入側が浮き上がることを抑制することができる。また、リテーナ８は、取付ボルト１０の径方向及び軸方向に対してクリアランスＣ１，Ｃ２を有した状態で、キャリパボディ３のディスク半径方向内側面３ｆに取り付けられることから、制動時に、摩擦パッド４がディスクロータ２に引き摺られて、裏板４ｂのディスク回出側面４ｇがトルク受部３ｄに押圧される際に、裏板４ｂから掛かる負荷に応じてリテーナ８のリテーナ部８ａが僅かに移動しながら、負荷をトルク受部３ｄに略均一に掛けることができ、安定した制動力を得ることができる。さらに、リテーナ８は、クリアランスＣ１によって、取付片８ｃの挿通孔８ｄの周囲に応力が集中することが抑制され、挿通孔８ｄの周囲が損傷することを防止できる。また、リテーナ８は、キャリパボディ３のディスク半径方向内側面３ｆに、取付ボルト１０で取り付けられることから、着脱が容易で、メンテナンス性の向上を図ることができる。
【００１９】
尚、本発明は上述の形態例に限るものではなく、シリンダ孔の数やハンガーピンの本数は任意である。また、リテーナの形状も任意であり、連結片でリテーナ部を連結したものでなくても良い。
【符号の説明】
【００２０】
１…車両用ディスクブレーキ、２…ディスクロータ、３…キャリパボディ、３ａ…作用部、３ｂ…ブリッジ部、３ｃ…天井開口部、３ｄ…トルク受部、３ｅ…当接部、３ｆ…ディスク半径方向内側面、４…摩擦パッド、４ａ…ライニング、４ｂ…裏板、４ｃ…吊下げ片、４ｄ…突出部、４ｅ…ハンガーピン挿通孔、４ｆ…ディスク半径方向外側面、４ｇ…ディスク回出側面、５…シリンダ孔、６…ピストン、７…ピストンシール、８…リテーナ、８ａ…リテーナ部、８ｂ…連結片、８ｃ…取付片、９…ハンガーピン、１０…取付ボルト
【図１】
0005662910.tif 000002
【図２】
0005662910.tif 000003
【図３】
0005662910.tif 000004
【図４】
0005662910.tif 000005
【図５】
0005662910.tif 000006